Podtech/llm-jp-corpus-v4-ja_patent huggingface dataset:
(57)【要約】【課題】従来自動撮影を行う時に三脚を使用していたが、常時三脚を持ち歩く必要があった又人ごみの所では使用出来なかった。【解決手段】内側にこの字型の溝を持った外枠の先端に撮影機取り付け金具を設け他端に傾斜部を設け、溝より内側に蝶番を設け、更に蝶番を中心にして内枠に保持用磁石又は保持用凸起を更に傾斜部に保持用鉄板又は保持用凹部をを対称の位置に設ける事による自動撮影用器具。【選択図】図１
2011215554.tif 000002
【特許請求の範囲】
【請求項１】
内側にこの字型の溝（６）を持つた外枠（２）の先端に撮影機取り付け金具（１）を設け、他端に傾斜部（３）を設け、溝（６）より内側に蝶番（４）を設け、更に蝶番（４）を中心にして内枠（５）に保持用磁石（７）又は保持用凸起（９）を傾斜部（３）に保持用鉄板（８）又は保持用凹部（１０）を対称の位置に設ける事による自動撮影用器具。
【請求項２】
内側にこの字型の溝（６）を持つた外枠（２）の先端に撮影機取り付け金具（１）に回転用軸（１３）を締め付け具（１４）により回転自在の状態で取り付け、他端に傾斜部（３）を設け内枠（５）と接続する事による自動撮影用器具。
【請求項３】
外枠（２）の末端に後部蝶番（１５）を設け、末端に撮影機取り付け金具（１）を持つた回転板（１７）と接続し、更に裏側に固定用板（１６）を固定し後部蝶番（１５）を中心にして撮影機取り付け金具（１）の対称の位置に凹部（１９）を内枠（５）又は傾斜部（３）に設ける事による自動撮影用器具。
【発明の詳細な説明】
【技術分野】
【０００１】本発明は、デジタルカメラ、撮影機付き携帯電話等で三脚を使用しないで自動撮影を行う分野に関する物である．
【背景技術】
【０００２】従来自動撮影を行う時に三脚を使用していた。
【発明の開示】
【発明が解決しようとする課題】
【０００３】そのために次のような問題点があった．
（イ）常時三脚を持ち歩く必要があった．
（ロ）三脚をセットするのに大変だった．
（ハ）人ごみの所では使用出来なかった
（ニ）準備に時間が掛かった
【課題を解決する手段】
【０００４】（イ）上記の問題点を解決する為、蝶番により内枠を展開して撮影機までの距離を遠くする．
（ロ）内枠を持っている姿が写真に写り難い様に撮影機は水平に対して内枠を角度を付けた．
（ハ）手ぶれを防ぐ為に台に乗せた時に反力が働いて蝶番が開かない様にした．
（ニ）撮影機の向きを変える様うにした．
（ホ）撮影機までの距離を更に遠く出来る様にした．
【発明の効果】
【０００５】その結果、次の効果が生じる．
（イ）三脚が不要である．
（ロ）撮影準備の時間が短い
（ハ）目立たないので恥ずかしくない
（ニ）気軽に自動撮影が出来る．
（ホ）撮影者側より撮影機の上下角度、水平角度を調整出来るので内枠を持つている姿が写り難い．
（ヘ）軽く出来る．
【発明を実施する為の最良の形態】
（イ）図１は、内側にこの字型の溝（６）を持つた外枠（２）の先端に撮影機取り付け金具（１）を設け、他端に傾斜部（３）を設ける．
溝（６）より内側に蝶番（４）を設け、内枠（５）と傾斜部（３）を接続する．
蝶番（４）を中心にして内枠（５）に保持用磁石（７）又は保持用凸起（９）を傾斜部（３）に保持用鉄板（８）又は保持用凹部（１０）を対称の位置に設ける．
使用する時は撮影機取り付け金具（１）にセルフタイマーをセットして撮影機（１１）を取り付け、傾斜部（３）を持って撮影出来るが遠距離より撮影する時には内枠（５）を傾斜部（３）に１８０度展開して蝶番（４）を中心にして内枠（５）を傾斜部（３）に固定して内枠（５）を持つて遠距離から撮影出来る．
内枠（５）を固定する事により手ぶれを防ぎ又蝶番（４）の保護にもなる．
又はガードレール、木、柵等の台（１２）に外枠（２）を乗せると更に手ぶれを防ぐ事が出来る．
又撮影機が水平に対して内枠（５）に角度が付いている為持つ姿が写り難い．
（ロ）図２は、撮影機取り付け金具（１）に回転用軸（１３）を設け、締め付け具（１４）により撮影機（１１）の角度を変える事が出来る。
使用する時は内枠（５）を展開して傾斜部（３）に固定して撮影出来るが締め付け具（１４）を緩め撮影機取り付け金具（１）の向きを変える事が出来る。
（ハ）図３は、外枠（２）の末端に後部蝶番（１５）を設け、末端に撮影機取り付け金具（１）を持つた回転板（１７）と接続し、更に裏側に固定用板（１６）を固定し、回転板（１７）の裏側にも磁石又は凸起等を設けた保持用具（１８）を設け回転板（１７）を固定用板（１６）に保持出来る．
一方後部蝶番（１５）を中心にして撮影機取り付け金具（１）の対称の位置に凹部（１９）を内枠（５）又は傾斜部（３）に設ける．
使用する時は回転板（１７）を開き固定用板（１６）に保持して撮影機取り付け金具（１）に撮影機（１１）を取り付けセルフタイマーをセットして自動撮影が出来るが更に遠距離より撮影する場合は内枠（５）を開いて撮影出来る．
【図面の簡単な説明】
【０００７】
【図１】本発明の全体の使用例図である．
【図２】本発明の全体の使用例図である．
【図３】本発明の全体の使用例図である．
【符号の説明】１．撮影機取り付け金具  ２．外枠  ３．傾斜部  ４．蝶番  ５．内枠  ６．溝
７．保持用磁石  ８．保持用鉄板  ９．保持用凸起  １０．保持用凹部
１１．撮影機  １２．台  １３．回転用軸  １４．締め付け具  １５．後部蝶番
１６．固定用板  １７．回転板  １８．保持用具  １９．凹部
【図１】
2011215554.tif 000003
【図２】
2011215554.tif 000004
【図３】
2011215554.tif 000005
(57)【要約】      （修正有）【課題】補助レンズをテンプル枠に納めたとき補助レンズの凸部が顔の側面に触れて汚れる欠点があり、眼鏡に照明装置を備えるには、眼鏡枠本体とテンプル枠内に電球、電地、スイッチ部を２ヶ所備えることが必要で、コンパクトにはできていない。【解決手段】眼鏡１に付する蝶番を観音開きにしたうえ３６０度回転する蝶番に視助レンズ４を取付けることにより解決する。又、眼鏡に照明装置を備えるには、眼鏡枠本体角に電球７とスイッチ部１０Ｂを設けて、テンプル枠２内に電地とテンプル枠の両角に２ヶ所のスイッチ部を設ける。【選択図】図１
2011215558.tif 000002
【特許請求の範囲】
【請求項１】
従来の眼鏡裏表面に補助レンズを設け補助レンズが裏表に回転してテンプル枠に納まる眼鏡に関して。
【請求項２】
一般眼鏡に照明装置を設けるさいにスイッチ部を簡単な構造にして２ヶ所のスイッチ部を設けた照明装置付き眼鏡に関するもの。
【発明の詳細な説明】
【技術分野】
【０００１】  本発明は、従来の眼鏡に多機能を備えた眼鏡に関する。
【背景技術】
【０００２】  従来の眼鏡に、補助レンズを備えたものがある。〔例えば、特許文献１参照〕。【０００３】  以下、従来の眼鏡補助レンズに付する蝶番観音開きである。【０００４】  病院での手術用に開発された、眼鏡に照明装置を取付けたもものがある。〔例えば、特許文献１参照。〕。【０００５】
【特許文献１】  特開平２００９−１６９３３８号公報〔第２頁、第１図〕  実開平第３００４９４５号公報〔第２頁、第１図〕
実開昭４７−３６２５２号公報
特開平２００２−２２４１５６号公報〔第２頁、第１図〕
【発明の開示】
【発明が解決しようとする課題】
【０００６】  従来の補助レンズに付する蝶番は観音開きであり、テンプル枠に納めるときレンズの凸部が内側になり顔の側面に触れてレンズが汚れる次点があった。その問題を解決するものである。【０００７】  視野照明装置付き眼鏡は病院で手術用に開発されたものであり、従来の眼鏡に備えるには２ヶ所のスイッチ部が必要である。【０００８】  本発明は、このような従来の構成が有していた問題を解決しようとするものであり、補助レンズをテンプル枠に納める課題と、従来の眼鏡に照明装置をコンパクトに体裁よくすることを目的とするものである。
【課題を解決するための手段】
【０００９】  そして、本発明は上記目的を達成するために、請求項１に対しては補助レンズに付する蝶番を観音開きにしたうに補助レンズを３６０度回転する構造により解決するものである。請求項２に対しては、従来の眼鏡枠本体の角に電球を備えてテンプル枠内に電地設けて、２ヶ所のスイッチ部を備えることによってコンパクトで体裁よく構成したものである。【００１０】  又、第２の課題解決手段による作用は、眼鏡枠本体とテンプル枠に２ヶ所のスイッチ部を設けたことである。眼鏡使用どきの一連の動作のなかで１ヶ所目のスイッチ部が可動し照明が必要なときはテンプル枠角に設けたスイッチを可動することにより照明する簡単な構造に出来ることである。
【発明の効果】
【００１１】  従来の眼鏡に複数の機能を備えることによる発明の効果は次のことである。眼鏡使用者にとって老人になると老眼鏡を必要とする場合も有り、外出どきよく忘れることがある。又、眼の治療を要している人は瞳孔を開いて診療するため診察後車を運転することを３時間から４時間は禁じられる、その問題を解決するには、多機能眼鏡に付するサングラスを使用することにより解決する。そして伊達眼鏡に複数の機能を備えても以上の効果がある多機能付き眼鏡を提供する。
【発明を実施するための最良の形態】
【００１２】  眼鏡枠本体１の裏表面の角に蝶番８、９を固着、補助レンズ４、５を蝶番８、９に取付ける、テンプル枠２に電地６、配線１１、スイッチ１０、１０Ａ  カバー１５を配置する、眼鏡枠１の１８にテンプル枠２の９を取付ける、以上の構成からなる多機能付き眼鏡を提供する。
【図面の簡単な説明】
【００１３】
【図１】眼鏡の斜視図
【図２】眼鏡枠の背面図
【図３】テンプル枠の背面図
【図４】凸形状の正面図
【図５】サングラス用レンズの背面図
【図６】電地カバーの右側面図
【図７】本発明眼鏡に補助レンズをテンプル枠に納めたときの平面図
【図８】従来の眼鏡に補助レンズをテンプル枠に納めたときの平面図
【符号の説明】
【００１４】  １      眼鏡枠本体
２      テンプル枠
３      眼鏡枠本体に付くレンズ
４      凸形状の補助レンズ
５      サングラス用補助レンズ
６      電地
７      電球
８      外側面に付く蝶番
９      内側面に付く蝶番
９Ａ    本体枠に取付けの蝶番部
１０    スイッチ
１０Ａ  凸形状のスイッチ部
１０Ｂ  凹形状のスイッチ部
１１    配線
１２    電地カバー
１３    電地カバー取付溝
１４    ストッパー凹形状受け部
１５    ストッパー凸形状部
１６    サングラス縁の凸部
１７    ボルト
１８    テンプル枠取付部
１９    開口部
【図１】
2011215558.tif 000003
【図２】
2011215558.tif 000004
【図３】
2011215558.tif 000005
【図４】
2011215558.tif 000006
【図５】
2011215558.tif 000007
【図６】
2011215558.tif 000008
【図７】
2011215558.tif 000009
【図８】
2011215558.tif 000010
(57)【要約】【課題】  ルアーのキャスティングの距離が短くても、ルアーに充分な動きをつけながら巻き取ることができ、且つルアーを巻き取ると同時に釣り人より横方向にルアーが動き、釣り人の気配を魚にさとられないようにするルアーを提供することにある。【解決手段】  請求項１に係る釣り用ルアーは、横長に形成したルアー本体１上側面２に、中央よりやや前方に釣糸取付部６を設け、下側面３に錘７を埋め込むことを特徴とする。【選択図】図１
2011092172.tif 000002
【特許請求の範囲】
【請求項１】
横長に形成したルアー本体上側面に、中央よりやや前方に釣糸取付部を設け、下側面の中央よりやや前側と後側にそれぞれ錘を埋め込むことを特徴とする釣り用ルアー。
【請求項２】
上記ルアー本体後端部に、左右に振れる反射板を取り付けることを特徴とする請求項１に記載の釣り用ルアー。
【請求項３】
前記反射板の素材を金属製或いは合成樹脂材とすることを特徴とする請求項２に記載の釣り用ルアー。
【発明の詳細な説明】
【技術分野】
【０００１】  本発明は、横方向に動く釣り用ルアーに関するものである。
【背景技術】
【０００２】  ルアーの種類は多種多様であるが、これらのルアーの多くはルアーを遠くへキャストし、釣竿を上下左右に動かしながらルアーに動きをつけ魚を誘い、それと同時にリールでルアーを手前に巻き取っていくというものである。
【発明の概要】
【発明が解決しようとする課題】
【０００３】  前記に述べたルアーでは、キャスティングの距離でルアーを巻き取る長さが決まってしまい、近くへキャストした際にはルアーに少しの動きしかつけられず、魚を誘発する前に巻き取り終えてしまう。また、手前に巻き取る程に釣り人の気配を魚にさとられてしまい、魚に対して人的プレッシャーを与え釣りづらい状況を作ってしまう。【０００４】  そこで本発明が解決しようとする課題は、ルアーのキャスティングの距離が短くてもルアーに充分な動きをつけながら巻き取ることができ、更に釣り人の気配を魚にさとられないように、ルアーを横方向へ動くようにして、人的プレッシャーを大幅に軽減させることができる釣り用ルアーを提供することを課題とする。
【課題を解決するための手段】
【０００５】  請求項１に係る釣り用ルアーは、横長に形成したルアー本体上側面に、中央よりやや前方に釣糸取付部を設け、下側面に錘を埋め込むことを特徴とする。【０００６】  請求項２に係る釣り用ルアーは、請求項１に係るものに加えて、ルアー本体後端部に左右に振れる反射板を取り付けることを特徴とする。【０００７】  請求項３に係る釣り用ルアーは、請求項２に係るものにおいて、前記反射板の素材を金属性或いは合成樹脂材とすることを特徴とする。
【発明の効果】
【０００８】  請求項１に係る発明によれば、釣糸取付部に釣糸を取付け、ルアーを釣竿で水面に投げ入れてルアーを巻き取る時、ルアーを引っ張る方向にルアー本体が倒れる。すると、上側面が水面につかり水流の抵抗を受ける。釣糸取付部が中央よりやや前方にあるため、水流は後端方向へ流れ、その力に押されるかたちでルアーはルアー前方方向へ動いていく。そして、ルアーを引っ張る力を緩めた時、下側面に埋め込んだ錘によって、ルアーが再度立ちあがる。その倒立を繰り返しながら動かす事によって、ルアーは釣り人より横方向へと動いていくので、キャスティングの距離が短くても充分に魚を誘発することができる。また、釣り人の気配を魚にさとられず魚への人的プレッシャーを大幅に軽減させることができる。【０００９】請求項２に係る発明によれば、請求項１に記載の発明の効果に加え、ルアーが倒れたり立ちあがったりする度に反射板は左右に振れるので、光の反射を受けてキラキラと水中を照らし、小魚がいるかのように見せることで集魚効果を得ることができる。
【図面の簡単な説明】
【００１０】
【図１】本発明に係る釣り用ルアーの横断面図である。
【図２】本発明に係る釣り用ルアーの動作の説明図である。
【図３】本発明に係るルアー釣り用ルアーの動作の説明図である。
【図４】本発明に係る釣り用ルアーの移動方向を示す説明図である。
【図５】現在多く使用されている釣り用ルアーの移動方向を示す説明図である。
【発明を実施するための形態】
【００１１】  以下、本発明の第１実施形態を図１に基づいて説明する。
【００１２】  ルアー本体１は横長に形成されたものであって、このルアー本体１上側面２の中央よりやや前方に釣糸取付部６が設けられている。
【００１３】  ルアー本体１下側面３には、錘７が埋め込まれている。なお、錘の埋め込み位置や個数は図示したものに限られるものではなく、ルアー本体の形状等に合わせて適且変更してもかまわない。
【００１４】  ルアー本体１下側面３には、フック１０を付けるためのリング９が設けられる。なお、リングの取付け位置や個数は図示したものに限られるものではなく、ルアー本体の形状等に合わせて適且変更してもかまわない。
【００１５】  ルアー本体１後端部５には、左右に振れる反射板８（例えば、ステンレス鋼、アルミニウム合金、プラスチック材）が配置される。
【実施例】
【００１６】  実施例を図２及び図３、図４に基づいて説明する。【００１７】  図２に示すように、本発明に係るルアーをキャストし着水した後、釣糸によって引っ張られることで、ルアー本体１は引っ張る方向に倒れる。すると、ルアー上側面２が水流を受ける抵抗面となる。【００１８】  すると、図３に示すように、水流はルアー後端方向へ流れ、その力に押されるかたちでルアーはルアー前方方向へ動く。そしてルアーを引っ張る力を緩めた時、図２に示すように、下側面３に埋め込まれた錘７によって、ルアーは再度立ちあがる。【００１９】  図２のような倒立を繰り返しながらルアーを動かすことにより、図４が示すように、ルアーは釣り人より横方向へ動いていくので、キャスティングの距離が短くても充分に魚を誘発することができることとなった。また、釣り人の気配をさとられずに魚を誘うことができる。【００２０】  更に、ルアー本体１後端部５に反射板８を取り付けることにより、ルアーを動かす度に反射板が左右に振れるので、光の反射を受けて水中を照らし、小魚がいるかのようにみせて集魚効果を得ることができる。【００２１】  本発明は、以上に述べた実施例に限定されるものではない。
【符号の説明】
【００２２】  １  ルアー本体
２  上側面
３  下側面
４  先端部
５  後端部
６  釣糸取付部
７  錘
８  反射板
９  リング
１０  フック
１１  釣糸
１２  釣り人
【図１】
2011092172.tif 000003
【図２】
2011092172.tif 000004
【図３】
2011092172.tif 000005
【図４】
2011092172.tif 000006
【図５】
2011092172.tif 000007
(57)【要約】【課題】まりも等の観賞用水草を観賞魚と同一の水槽内に入れた場合、魚に食べられる事無く、飼育及び観賞する事が出来るケースを提供する。【解決手段】浮遊式は、容器（１）（２）に水が循環出来て且つ魚が入り込まないほどの穴（６）を複数あけ、図１のように結合させて内部にまりも等の観賞用水草を入れる事が出来る構造とする。  沈殿式は、容器（３）に水が循環出来て且つ魚が入り込まないほどの穴（６）を複数あけ、図３のように部品（４）でフタをする事で内部に観賞用水草を入れる事が出来る構造とする。【選択図】図１
2011092112.tif 000002
【特許請求の範囲】
【請求項１】
観賞用まりもケースの内部に、まりも等の観賞用水草を入れる事で、魚と同一水槽内での飼育及び観賞を可能にする事。
【請求項２】
観賞用まりもケースは、容器（１）（２）を、また容器（３）（４）を分離させる事で、掃除が簡単に行える構造とする事。
【請求項３】
観賞用まりもケースに、水が循環出来て且つ魚が入り込まないほどの穴（６）をあける事で、内部に入れた水草による水質浄化が行える事。
【請求項４】
浮遊式の観賞用まりもケースは、内部に入れた観賞用水草が光合成で発生する気体により、水槽内で浮いたり沈んだりして、その動きも楽しむことが出来る事。
【発明の詳細な説明】
【技術分野】
【０００１】
本発明は、まりも等の観賞用水草を、観賞魚と一緒の水槽内で餌とならないように飼育及び観賞する事を可能にする為のものである。
【背景技術】
【０００２】
まりも等の観賞用水草を観賞魚と同一の水槽内に入れた場合、魚に食べられてしまう場合が殆どであった。
【発明の概要】
【発明が解決しようとする課題】
【０００３】
まりも等の観賞用水草を観賞魚と同一水槽内で飼いたい場合があるが、水草は魚の餌になってしまい、観賞用として魚と一緒に飼う事は非常に難しかった。
【課題を解決するための手段】
【０００４】
本発明は、浮遊式と沈殿式の２種類とする。
浮遊式は、容器（１）（２）に水が循環出来て且つ魚が入り込まないほどの穴（６）を複数あけ、図１のように結合させて内部にまりも等の観賞用水草を入れる事が出来る構造とする。また水槽内では、浮遊させて内部の水草を観賞する事が出来るようにする。
【０００５】
沈殿式は、容器（３）に水が循環出来て且つ魚が入り込まないほどの穴（６）を複数あけ、図４のようにフタ（４）をして内部にまりも等の観賞用水草を入れる事が出来る構造とする。また水槽内では、沈殿させて内部の水草を観賞出来るようにする。
【発明の効果】
【０００６】
まりも等の水草を、観賞用として金魚などの観賞魚と同一水槽内で飼いたい場合がある。しかし、普通に水槽内に入れてしまうと魚に突かれたり食べられてしまい、水草は観賞する事が出来なくなってしまう。そこで、完全に水槽を分離するのではなく、透明な内部が見えるケースに入れて水草を保護しながら、多少の水質浄化も期待できるように、水が循環出来て且つ魚が入り込まないほどの穴（６）を複数あける事で、観賞魚と同一水槽内での飼育及び観賞が出来るようにする。
【図面の簡単な説明】
【０００７】
【図１】図１は観賞用まりもケース（浮遊式）の正面図である。
【図２】図２は観賞用まりもケース（浮遊式）を分離した場合の平面図である。
【図３】図３は観賞用まりもケース（沈殿式）の断面図である。
【図４】図４は観賞用まりもケース（沈殿式）の正面図である。
【発明を実施するための形態】
【０００８】
浮遊式は、容器（１）（２）に水が循環出来て且つ魚が入り込まないほどの穴（６）を複数あけ、結合させる事により内部に観賞用水草を入れる空間をつくり出す。また清掃する場合は結合部分を分離させる事で、簡単に掃除も出来る構造とする。
浮遊式の場合、内部に入れた観賞用水草が光合成で発生する気体の量により、浮いたり沈んだりもするので、その動きも楽しむことが出来る。
【０００９】
沈殿式は、容器（３）に水が循環出来て且つ魚が入り込まないほどの穴（６）を複数あけ、部品（４）でフタをする事で内部に観賞用水草を入れる空間をつくり出す。また清掃する場合はフタ（４）を外して簡単に掃除も出来る構造とする。
沈殿式の場合、水流等により容器が移動や浮上しない用に内部に重り（５）となるビー玉を入れて容器が動かない様にする。また水中に入れた時のビー玉のカラフルな色合いも楽しむことが出来る。
【符号の説明】
【００１０】
１  浮遊式容器Ａ
２  浮遊式容器Ｂ
３  沈殿式容器本体
４  沈殿式容器のフタ
５  重り
６  穴
７  まりも等の観賞用水草
【図１】
2011092112.tif 000003
【図２】
2011092112.tif 000004
【図３】
2011092112.tif 000005
【図４】
2011092112.tif 000006
(57)【要約】【課題】  本発明は、益虫であるてんとう虫の習性を基に増殖を目的に設計され、よって植物に付着する害虫をてんとう虫が食し退治することによって農薬を使わない安全環境を保護するものである。【解決手段】沢山のてんとう虫が利用できるよう開口部を多くし各々を斜めに加工、その開口部は外敵に襲われないように直径及び高さを８ミリメートルの丸穴と開口部にした。一体化の脚部は容易に脱着でき、周辺や季節の状況に合わせ枯葉や小枝などを出し入れできる。また脚部は直接地面に差込み、てんとう虫が活動する地上から２０〜６０センチメートルの高さに容易に設置できる。【選択図】図２
2011092169.tif 000002
【特許請求の範囲】
【請求項１】
農園や菜園、バラ園等の成育場所に設置し、てんとう虫が利用しやすく、周辺環境に合わせ内部構造を調整できる。また外敵から身を守り増殖を促進させるてんとう虫の巣箱。
【発明の詳細な説明】
【技術分野】
【０００１】  本発明は、益虫であるてんとう虫を高率よく増殖させる専用巣箱である。
【背景技術】
【０００２】  従来のヨーロッパ製は巣穴の大きさがまちまちであり、浸入の高率に問題があった。また脚部付きが無いため適正な高さや場所に設置しずらかった。
【発明の開示】
【発明が解決しようとする課題】
【０００３】  益虫であるてんとう虫が安心して冬眠・夏眠が出来ることから増殖を促し、アブラムシ・カイガラムシ・ウドンコ病菌をてんとう虫が摂取し、農薬を使わず害虫駆除することができる。
【課題を解決するための手段】
【０００４】  てんとう虫の習性を基に巣箱の壁面を白色系にし、てんとう虫が出入りしやすいように全ての丸穴が上方向斜めに同じ角度で貫通させた。本体と脚部が容易に脱着開閉ができるようにして葉や小枝の量を調整し周辺の環境に合わせることができるようにした。本体と脚部を一体にすることで本体設置高さの調整が容易にできるてんとう虫専用巣箱である。
【発明の効果】
【０００５】  てんとう虫が増殖促進され、菜園やバラの育成時に農薬散布をしなくてすむ事から安全な食物生育や人体に与える薬公害も発生しない。
【発明を実施するための最良の形態】
【０００６】  本発明の実施について説明する。（５）脚部を地中に差込み固定して設置する。
【図面の簡単な説明】
【０００７】
【図１】  本発明の本体透視図である。
【図２】  本発明の使用状態を示した斜視図である。
【符号の説明】
【０００８】  １  本体出入り用丸穴
２  本体装着小枝
３  本体出入り用開口部
４  脚部取付ビス
５  脚部
【図１】
2011092169.tif 000003
【図２】
2011092169.tif 000004
(57)【要約】【課題】帆立貝の内臓を液状化し、更にペースト化することにより、帆立貝の利用価値を高めることを目的とするものである。【解決手段】帆立貝の内臓に水を加え、蛋白質加水分解酵素プロテアーゼを加え液状化し、更に増粘剤を加えペースト化することを特徴とするものである。【特許請求の範囲】
【請求項１】
帆立貝柱または／および帆立貝内臓を絶乾重量濃度として５〜４０％の濃度で水中に分散させ、ｐＨ５．５〜８．０の状態で中性プロテアーゼを対基質濃度０．０５％〜１％加え、４０℃〜５５℃で液状化し、増粘剤０．０５％〜３％加えペースト化する食材。
【発明の詳細な説明】
【技術分野】
【０００１】本発明は帆立貝の貝柱及び内臓を液状化し、更にペースト化した食材に関するものである。
【背景技術】
【０００２】帆立貝は、生のままでの生紐着貝柱、貝柱のみ冷凍した玉冷、貝柱のみボイルしたボイル貝柱、貝柱のみ乾燥した乾燥帆立貝柱などの形態で生産されている。【０００３】過去にはＥＵ関係に生殖巣（以下ランという）着玉冷が多く輸出されていたが、近年この輸出がほとんど無くなっている状態である。また、乾燥帆立貝柱は東南アジアに多く輸出されているが、逆に中国のイタヤ貝が同様に乾燥貝柱として安く日本に出回っている状況で、北海道の乾燥帆立貝柱は東南アジアでは高値で取り引きされているものの、帆立貝の生産量から見ると量的には少ない状態である。【０００４】また、玉冷の生産で必要なのは貝柱が主体であり、貝紐、ランなどの多くは廃棄物として処理されている状況にあり、一時は貝紐を珍味などに利用されていたが、今はこの量も少なくウロと一緒に廃棄されている状況にある。【０００５】更に、乾燥帆立貝柱は乾燥の工程で割れの発生があり、これは安価で販売されている状態にある。【０００６】なお、現在帆立貝を液状化し、ペースト状にした食材は提案されていない。
【発明の概要】
【発明が解決しようとする課題】
【０００７】上述のように、近年少なくなってきている帆立貝の需要の増大と、廃棄物として処理されている帆立貝内蔵を少しでも利用できないかとの発想から、貝柱単独または帆立貝の貝紐、卵との組み合わせで溶解し、更にペースト化することで、帆立貝の利用範囲が拡大されるものとの考えから発明されたものである。【０００８】尚、廃棄処分されている帆立貝内臓を処理するのに多くの経費をかけているが、この経費削減にも寄与することができる。【０００９】本発明は、上述した現状の課題に鑑みなされたもので、帆立貝の内臓を含めた食材を提供することを目的とする。
【課題を解決するための手段】
【００１０】上述した課題を解決するために構成された本発明の手段は、帆立貝を蛋白質加水分解酵素プロテアーゼ（以下単に酵素という）で液状化し、さらに増粘剤でペースト化することを特徴とする。
【発明の効果】
【００１１】上述の方法で製造した食材を、各種料理の調味料として加えることにより、帆立風味の豊な料理となり、非常に美味な料理となる。【００１２】また、廃棄処分となる帆立貝内臓の需要も増え、廃棄処理にかけていた費用が軽減され、経済効果を図ることができる。
【発明を実施するための形態】
【００１３】使用する帆立は、生、ボイル、乾燥いずれでも良く、部位は中腸腺（ウロ）を除いた、貝柱、外套膜、ランのそれぞれの単独または任意の割合で混合したものまで可能である。
【００１４】帆立はミキサーなどで粗砕し、水で帆立絶乾重量当り５％〜４０％濃度としたものに、ｐＨ５．５〜８．０の状態で、酵素を０．０５％〜１％を加え撹拌しながら４０℃〜６０℃で、２〜４時間酵素分解処理を行う。その後、１００メッシュのフィルターを通し、８０℃〜９０℃で１５分間加熱し、酵素を死活させ液状化溶液とする。
【００１５】上述の液状化溶液に対し増粘剤を０．５〜３％加え、６０℃〜８０℃でかき混ぜながら加温し、ペースト状の製品を製造する。
【００１６】上述の増粘剤には、ＣＭＣ、タマリンドウガム、キサンタンガム、ローカストビーンガム、グァーガムなどを用いるのが良い。
【実施例１】生貝柱を絶乾重量１００ｇに水を加え１ｋｇとする。これに酵素ヤクルト薬品工業（株）アロアーゼＡＰ１０を０．５ｇ加え、５０℃でゆっくり撹拌しながら３時間処理し、完全に液状化した後、８０℃〜９０℃で１５分酵素を死活した。これに増粘剤タマリンドウガムシキボウ（株）フードメードＴＡ−１１５を１．５％加え増粘させ製品とした。これをスープに加えほのかな香りを与えることが出来た。
【実施例２】帆立貝柱の粉砕したもの２００ｇに水を加え１ｋｇとし、これに酵素ヤクルト薬品工業（株）アロアーゼＡＰ１０を０．７ｇ加え５０℃でゆっくり撹拌しながら３時間処理し、完全に液状化した後、１００メッシュのフィルターを通した後、８０℃〜９０℃で１５分酵素を死活後、常温まで冷却後、エコーガム（キサンタンガム）を２％加えペースト化し製品とした。これを餃子、シュウマイに加えたところ無添加のものに比べ非常に美味な餃子、シュウマイを得ることが出来た。
【実施例３】帆立貝柱破砕後１５０ｇにラン５０ｇ（絶乾量として）に水を加え１ｋｇとし酵素ヤクルト薬品工業（株）アロアーゼＡＰ１０を０．５ｇ加えゆっくり撹拌しながら３時間処理した後、１００メッシュのフィルターを通した後、８０℃〜９０℃で１５分酵素を死活させ常温まで冷却後、エコーガム（キサンタンガム）を１．５ｇ加え、柔らかいペーストを製品化した。これをうどん（手作り）に対小麦粉ペースト状で２％加え、食べたところほのかに帆立貝の香りがする。
【実施例４】帆立貝柱粉砕後１５０ｇ（絶乾量として）に水を加えて１ｋｇとし、酵素ヤクルト薬品工業（株）アロアーゼＡＰ１０  ０．５ｇを加え５０℃でゆっくり撹拌しながら３時間処理し、完全に液状化した後、１００メッシュのフィルターを通した後、８０℃〜９０℃で１５分処理し酵素を死活後、タマリンドウガムシキボウ（株）フードメードＴＡ−１１５  １．５％加え７０℃に加温し増粘ペースト状にし、米２合に対し製品１０ｇを加え、少量の帆立貝柱を加え帆立ご飯とし美味なご飯とすることが出来た。
【実施例５】帆立貝柱破砕後、２００ｇに水を加え１ｋｇとし、酵素ヤクルト薬品工業（株）アロアーゼＡＰ１０  ０．７ｇを加え５０℃でゆっくり撹拌しながら３時間処理し、完全に液状化した後、８０℃〜９０℃で１５分処理し酵素を死活後、１００メッシュフィルターでろ過後、エコーガム（キサンタンガム）１％を加え、軟らかいペーストとし、豆腐の製造時の豆乳に対し５％加え。美味な豆腐を製造することが出来た。
【産業上の利用可能性】以上、実施例では、日本料理で実施したが、特に中華料理には幅広く利用できるものと考える。
(57)【要約】【課題】従来の傘は、強風の時、傘の内側に風が溜まり、その風圧により傘が吹き飛ばされたり、反り返ったり、壊れたりするという問題があった。この風圧を軽減し傘が吹き飛ばされたり、反り返ったり、壊れたりすることがないようにする。【解決手段】傘骨と傘骨の間に縦に切れ込みを入れ風が吹きぬけるようにする。切れ込みの縁は縁どりをして、風が吹きぬけた後は切れ込みは元通りに閉じる。切れ込みの縁どりは延長して雨水誘導ラインとし、内側に雨水が侵入した場合は、ラインに沿って雨水が誘導されるため傘内の途中で垂れることはない。傘の外側の雨水誘導ラインは、雨水が切れ込みより内側に浸入することを防ぎ、雨水を傘の外に誘導することができる。【選択図】図１
2011092661.tif 000002
【特許請求の範囲】
【請求項１】
傘骨と傘骨の間の間に縦に切れ込みを入れ、切れ込みの縁は縁どりをして両側から密着して閉じている。強風の時には切れ込みが開き風が通り抜け、風が吹いてない時、切れ込みは閉じていて、雨水や日差しが内側に浸入しないことを特徴とする傘。
【請求項２】
切れ込みの縁どりは延長して、雨水誘導ラインとし、傘が開いているときは、傘の外側の雨水及び内側に侵入した雨水を傘の外に誘導する構造とし、傘を閉じたときは、外側の雨水誘導ラインに沿って雨水が流れ、切れ込みから内側に雨水は浸入せず、傘の外に誘導される請求項１に記載の傘。
【発明の詳細な説明】
【技術分野】
【０００１】  本発明は、傘に関するものである。
【背景技術】
【０００２】  従来より、身体を雨や日差しから防ぐ傘がある。
【発明の概要】
【発明が解決しようとする課題】
【０００３】  従来の傘は、無風や微風の時には雨や日差しを防ぐことができるが、強風の時には傘の内側に風が溜まり、その風圧のため、傘が吹き飛ばされたり、反り返ったり、壊れたりして、傘の役目を果たさない。
なお、ここでいう傘とは、日傘、雨傘、パラソル、テント等、身体を雨や日差し等から防ぐすべてのものをいう。【０００４】  そこで、本発明は、切れ込みを入れることにより風を通し、強風の時、傘が壊れたり、吹き飛ばされたり、反り返ったりしないような構造とし、傘の役目を果たすと同時に安全性を高めることを目的とする。【０００５】  また、その構造が原因となり傘の内部に雨水が浸入したり垂れたりするのを防ぐことを目的とし、傘の役目、快適さの向上を目的とする。
【課題を解決するための手段】
【０００６】  本発明は、このような従来の構造が有していた問題を解決しようとするものであり、傘が受ける風圧を効果的に軽減し、強風の時傘の安全性を実現することを目的とするものである。と同時に、その構造により傘に雨水が浸入するのを防ぐことを目的とするものである。【０００７】  請求項１に記載の発明は、上記目的を達成するために、傘の上部で風が溜まり易く、風圧を受けやすい箇所で、傘の骨と骨の間に縦に直線に切れ込みを入れ、縁どりをして風が吹き抜ける構造にする。その構造により風圧で傘が壊れたり、吹き飛ばされたり、反り返ったりすることなく傘の役目を果たすと同時に安全性を高める。また、強風の向かい風の場合、外側からも風が抜ける構造のため、風圧を軽減でき、安全性が高まる。（図１・２）
なお、ここでいう縁どりとは、縁の補強等を含むすべての縁どりをいう。【０００８】  請求項２に記載の発明は、切れ込み開いて風が抜けた後、雨水や日差しが内側に入らないようにするため、縦の切り込みは通常閉じている状態に保たれる構造にする。（図２）【０００９】  切れ込みの縁は縁どりをしているため、密着しやすく、また、その縁どりを延長して、雨水誘導ラインとする構造とする。（図３・４）雨水が内側に侵入した場合は、内側に取り付けた雨水誘導ラインに沿って傘の外に誘導される。（図５）傘を閉じた場合、外側の雨水は切れ込みの外側に設けた雨水誘導ラインに沿って流れるため、（図６）傘の内側に侵入して溜まることはない。
【発明の効果】
【００１０】  請求項１に記載の発明によれば、内側に溜まる風をスムーズに外側に流すことにより、傘が吹き飛ばされたり、反り返ったり、壊れたりするのを防止することができ、傘の役目を果たすと同時に安全性を高めることができる。【００１１】  請求項２に記載の発明によれば、その構造により雨水の漏水が起こりうる可能性を排除することができる。
【図面の簡単な説明】
【００１２】
【図１】  本発明の第１実施形態を示す傘を開けたときの外観図
【図２】  同じく、実施形態を示す風が吹くときと吹かないときの切れ込み図
【図３】  同じく、第２実施形態を示す傘の外側及び内側の雨水誘導ライン図
【図４】  同じく、実施形態を示す傘の雨水誘導ラインの拡大及び断面図
【図５】  同じく、実施形態を示す傘を開いたときの雨水誘導ラインの役目図
【図６】  同じく、実施形態を示す傘を閉じたときの雨水誘導ラインの役目図
【発明を実施するための形態】
【実施例】
【００１３】  以下、本説明を具体化した第１実施形態を図面に基づいて説明する。【００１４】  図１に示すように、傘の上部で風が溜まり易く、風圧を受けやすい箇所で、傘の骨と骨の間に縦に直線に切れ込みを入れ縁どりをして、風が吹き抜けるような構造にする。その構造により風圧で傘が壊れたり、吹き飛ばされたり、反り返ったりすることなく傘の役目を果たすと同時に安全性を高める。また、強風の向かい風の場合も外側から風が抜けるため、風の圧力を軽減でき、安全性が高まる。【００１５】  図２に示すように、無風や微風の時は、雨水日差しが内側に入らないようにするため、縦の切り込みは通常閉じている状態に保たれる構造となっている。切れ込みの縁は縁どりをしているため縁の両側が密着し、雨水や日差しが内側に進入することはない。（図３・４・５）雨水が内側に侵入した場合は、内側に取り付けた雨水誘導ラインに沿って傘の外に誘導されるため、傘内に雨水が垂れることはない。【００１６】  図６に示すように、傘を閉じた場合、外側の雨水は切れ込みの外側に設けた雨水誘導ラインに沿って流れるため、傘の内側に侵入して溜まることはない。
【産業上の利用可能性】
【００１７】  日傘・雨傘・パラソル・テント等それに準ずるもの
【符号の説明】
【００１８】  （Ａ）外側の傘の切れ込み及び雨水誘導ライン
（Ｂ）内側の傘の切れ込み及び雨水誘導ライン
【図１】
2011092661.tif 000003
【図２】
2011092661.tif 000004
【図３】
2011092661.tif 000005
【図４】
2011092661.tif 000006
【図５】
2011092661.tif 000007
【図６】
2011092661.tif 000008
(57)【要約】【課題】靴を履く場合、踏んで傷めてしまいがちな踵部分、垂れ下ってついつい押し込みがちなつま先方ベロ、履きにくいきっちりした前ゴム部分を手を使用せずに履きやすくした靴べらの提供【解決手段】靴べら素材は足を滑り込ませやすいプラスチック等を使用し図１の様な形に形成、靴を抑える部分（Ａ）、滑り込ませ部分（Ｂ）、中まで導入させる部分（Ｃ）からなり、靴をはく場合あらかじめ靴に取り付けて使用し、履いた後に取り外す。【選択図】図１
2011092668.tif 000002
【特許請求の範囲】
【請求項１】
靴に足を滑り込ませやすいプラスチック等の素材を使い、靴押さえ部分（Ａ）靴べら滑り込ませ部分（Ｂ）、押し込める手助けをする（Ｃ）部分からなる、靴前部分や踵部分にセットして靴を履きやすくし、履き終えたら外して使う靴べら
【発明の詳細な説明】
【技術分野】
【０００１】靴をはく場合、踵部分だけではなく、前部分をも履きやすくする靴べらの提供
【発明の概要】
【発明が解決しようとする課題】
【０００２】靴をはく場合、前部分を靴中に入れその後靴べらを当てて靴を履きますが、踵部分が変形したり擦れて傷みやすいことが多く、それを解消、（また、普通の人もありがちですが）老齢者、或いは体の不自由な人が靴をはく場合靴の前部分、垂れて来やすいベロがついていたりきっちりとしたゴムなどで足の差し込みに不自由を感じる人は多く、前部分、踵ともにスムーズに履きやすくすることを課題にしている
【課題を解決するための手段】
【０００３】靴に足を滑り込ませやすくするため、滑り込ませやすいプラスチック等を素材とし靴のかかと部分、或いは前部分を外側から抑える部分（Ａ）と滑り込ませるために湾曲させた部分（Ｂ）、靴中部分に当てて奥まで滑り込ませる従来の靴べら形をし、靴のかかと部分くらいの高さを持つ部分（Ｃ）からなる、履く時点であらかじめ靴にセットして、履いた後に取り外す靴べら
【発明の効果】
【０００４】靴をはく場合、いつも傷みやすい踵部分を保護しながら、しゃがむことなく靴をスムーズに履け、体の不自由な人、お年寄りも、何かにつかまりながら靴が履けることが出来る
【発明を実施するための形態】
【０００５】靴を抑える部分（Ａ）は本図はしっかりと押さえるために、くるりと一巻きしているが図３のようにただ曲げただけの形でもよい
【図面の簡単な説明】
【０００６】
【図１】斜視図
【図２】使用例
【図３】応用例斜視図
【符号の説明】（Ａ）・・・・靴を抑える部分
（Ｂ）・・・・足をすべりよくする部分
（Ｃ）・・・・しっかりと押し込めるような部分
【図１】
2011092668.tif 000003
【図２】
2011092668.tif 000004
【図３】
2011092668.tif 000005
(57)【要約】【課題】靴紐を解くことをせず結んだままの状態で靴を履いたり脱いだりすることができ、また靴紐の締まり具合を調節することができる靴紐締め付け補助具を提供する。【解決手段】靴紐が挿通される２つの紐通し穴を持つ係止部材と、この係止部材を収容して係止部材の紐通し穴と整合して紐が挿通できる２つの横穴を持つ係止受け部とからなり、係止部材と係止受け部との間に配設されて紐通し穴が整合しないように機能するスプリングを有し、係止部材を強制的に押し込んだ時にだけ紐通し穴が整合するように上下にずらして設けてあり、また係止受け部の側面の一方に、左右に分かれて位置する反対側の靴紐が挿通される貫通穴を設けたことを特徴とする靴紐締め付け補助具。【選択図】図１
2011092665.tif 000002
【特許請求の範囲】
【請求項１】
靴紐が挿通される２つの紐通し穴を持つ係止部材と、この係止部材を収容して係止部材の紐通し穴と整合して紐が挿通できる２つの横穴を持つ係止受け部とからなり、係止部材と係止受け部との間に配設されて紐通し穴が横穴と整合しないように機能するスプリングを有し、係止部材を強制的に押し込んだ時にだけ紐通し穴が横穴と整合するように上下にずらして設けてあり、また係止受け部の側面の一方に、左右に分かれて位置する反対側の靴紐が挿通される貫通穴を設けたことを特徴とする靴紐締め付け補助具。
【発明の詳細な説明】
【技術分野】
【０００１】  本発明は靴紐締め付け補助具に関するものである。
【背景技術】
【０００２】  運動靴や革靴の多くは靴紐で靴を足に固定しているが、紐靴を脱ぐ時には靴紐を解き緩め、紐靴を履く時には靴紐を締めて結ぶという形で使用されているものが普通である。
このような面倒な動作を避けるための靴の着脱を容易に行うことができる靴紐固定具（特許文献１参照）や靴紐取付補助具（特許文献２参照）などが提案されている。
【特許文献１】特許公開２００６−７５１７９号公報
【特許文献２】特許公開２００５−２７９０１５号公報
【発明の開示】
【発明が解決しようとする課題】
【０００３】  そのために、次のような問題点があった。
（イ）靴の構造が複雑でコスト高
（ロ）靴の外観が煩雑でデザイン性が損なわれる
本発明は、これらの問題点を解決するためになされたものである。
【課題を解決するための手段】
【０００４】  靴紐が挿通される２つの紐通し穴を持つ係止部材と、この係止部材を収容して係止部材の紐通し穴と整合して紐が挿通できる２つの横穴を持つ係止受け部とからなり、係止部材と係止受け部との間に配設されて紐通し穴が横穴と整合しないように機能するスプリングを有し、係止部材を強制的に押し込んだ時にだけ紐通し穴が横穴と整合するように上下にずらして設けてあり、また係止受け部の側面の一方に、左右に分かれて位置する反対側の靴紐が挿通される貫通穴を設けたことを特徴とする靴紐締め付け補助具である。
【発明の効果】
【０００５】  （イ）本発明は、一般に市販されている紐靴の靴紐に容易に取り付けられるため、靴の構造を変えるコストは必要がない。
（ロ）靴紐に取り付ける締め付け補助具が小さいため靴のデザイン性が損なわれない。
（ハ）靴紐を結んだままの状態で解くことなく靴紐をゆるめて靴を脱ぎ、また靴紐を結んだままの状態で結びなおすこともなく靴を履いて靴紐を締めることができ、また靴紐の締まり具合を調節することもできる。
【発明を実施するための最良の形態】
【０００６】  以下、本発明の実施の形態について説明する。
（イ）靴紐締め付け補助具（１）は、靴紐（１２）が挿通される２つの紐通し穴（４）を持つ係止部材（３）と、この係止部材（３）を収容して係止部材の紐通し穴（４）と整合して紐が挿通できる２つの横穴（６）を持つ係止受け部（２）が組み合わされている。
（ロ）係止部材（３）と係止受け部（２）との間には、紐通し穴（４）が横穴（６）と整合しないように機能するスプリング（５）を有し、係止部材（３）を強制的に押し込んだ時にだけ紐通し穴（４）が横穴（６）と整合するように上下にずらして設けてある。
（ハ）また係止受け部（２）の側面の一方に、左右に分かれて位置する反対側の靴紐（１２）が挿通される貫通穴（７）を設けてある。
（ニ）以上のような構造体で各種のデザインが考えられる（図５）。
本発明は以上のような構成で、この靴紐締め付け補助具（１）を紐靴（８）へ取り付け使用するときは、靴紐（１２）をつま先部より履口部（９）へ向かって、左右の甲被部の複数の靴紐通し穴（１０）を交互に通して編み上げてゆく。甲被部の履口部（９）側から１番目、２番目にある左右各２箇所の靴紐通し穴（１０）を通す靴紐（１２）の通し方については、２番目は内側から外側へ出し、左（右）の靴紐（１２）を係止受け部（２）の２つの横穴（６）の中を通して靴紐のループ（１１）を作った後、左（右）の１番目の靴紐通し穴（１０）の外側から内側に通す。
もう一方の右（左）の靴紐（１２）は２番目の靴紐通し穴（１０）の内側から外側へ出した後、係止受け部（２）の側面にある貫通穴（７）を通して、右（左）の１番目の靴紐通し穴（１０）の外側から内側に通す。
この左右の靴紐（１２）は履口部（９）側から１番目の靴紐通し穴（１０）の外側から内側に通した後、通常の靴紐と同様に結んで固定する。
以上のような取り付けを行った後、靴紐締め付け補助具（１）の係止受け部（２）の２つの横穴（６）の中を通した靴紐のループ（１１）の長さを係止部材（３）を強制的に押し込みながら調整することで、靴紐（１２）の締まり具合を調節することができる。
【図面の簡単な説明】
【０００７】
【図１】本発明を取り付けた靴の開閉部を締めている状態を示す斜視図
【図２】本発明を取り付けた靴の開閉部をゆるめている状態を示す斜視図
【図３】本発明の斜視図
【図４】本発明の断面図
【図５】本発明の他のデザインを示す斜視図
【符号の説明】
【０００８】１  靴紐締め付け補助具
２  係止受け部
３  係止部材
４  紐通し穴
５  スプリング
６  横穴
７  貫通穴
８  紐靴
９  履口部
１０  靴紐通し穴
１１  靴紐のループ
１２  靴紐
【図１】
2011092665.tif 000003
【図２】
2011092665.tif 000004
【図３】
2011092665.tif 000005
【図４】
2011092665.tif 000006
【図５】
2011092665.tif 000007
(57)【要約】【課題】傘、杖の先端に足踏み板つきキヤップをつけた足踏み付きキヤップを提供する。【解決手段】弾力姓素材からなるキヤップに傘、杖の先端が挿入できる中空穴を設ける、底面部に足で踏み押さえる足踏み部を設けたことを特徴とする足踏み付きキャツプである。【選択図】図３
2011092664.tif 000002
【特許請求の範囲】
【請求項１】
傘、杖の先端に弾力性素材からなる足踏み板つきキャプを設けたことを特徴とする足踏付きキャツプ
【発明の詳細な説明】
【技術分野】
【０００１】本発明は、傘、杖の先端に足踏み部付きのキャツプを設けたキャツプに関するものである。
【背景技術】
【０００２】従来、傘、杖の先端に足踏付きのキャツプを設けたものはなかつた。
【発明の開示】
【発明が解決しようとする課題】
【０００３】そのために、次のような問題点があった。
（イ）傘、杖から手を放すと傘、杖が倒れ不便であった。
本発明は、これらの問題点を解決するためになされたものである。
【課題を解決するための手段】
【０００４】弾力性素材からなるキャツプに傘、杖の先端が挿入できる中空穴を設け、底面部に足で踏み押さえる足踏み部を設ける。以上を特徴とする足踏み付きキャツプである。
【発明の効果】
【０００５】傘、杖から手を放したいとき足で足踏み部（２）を踏み押さえる事により傘、杖が倒れることもなく自立する。
【発明を実施するための最良の形態】
【０００６】以下、本発明の実施の形態について説明する。
（イ）弾力性キヤツプに傘、杖の先端が入る中空穴をもうける。
（ロ）キヤツプの底部に足で踏み押さえる足踏み部を設ける。
本発明は以上のような構成でこれを使用するときは、キャツプを傘、杖の先端に差し込使用する。足で踏み押さえる事により傘杖が安定して手の自由が保て大変便利である。
【実施例１】
【０００７】図（３）に示すように、片足で足踏み部を抑え踏み込むだけで傘杖が倒れることもなく安定する。手の自由が保たれ大変便利である。傘杖を置き忘れる事もない。
【図面の簡単な説明】
【０００８】
【図１】本発明の平面図
【図２】本発明の側面図
【図３】本発明の実施例を示す側面図
【符号の説明】
【０００９】１  キヤップ
２  足踏み部
３  杖
【図１】
2011092664.tif 000003
【図２】
2011092664.tif 000004
【図３】
2011092664.tif 000005